(57)【要約】【課題】ユーザを目的地まで誘導するためのより適切な経路情報を簡単に提示すること。【解決手段】ＧＰＳ機能付き携帯電話機１Ａにおいて、自装置から近距離無線通信可能範囲内にある他装置との間で、自装置の位置と目的地との間を含む経路情報を無線通信により取得し、取得した経路情報に基づいて自装置のより適切な誘導経路を選択するため、移動体通信端末相互間でＧＰＳ機能から得られる情報を交換して有効に利用でき、取得した経路情報を基に、簡単に自装置の適切な誘導経路を提示できる。携帯電話機１Ａが経路情報適確性判定で他装置から合わせて取得した移動情報、経路情報の生成時刻情報、及び経路情報の精度情報に基づいて、誘導経路を設定するため、自装置における誘導経路の設定を精度良く行うことができる。即ち、ユーザを目的地まで誘導するためのより適切な経路情報を簡単に提示することが可能となる。【選択図】図４
2009288224.tif 000002
【特許請求の範囲】
【請求項１】
位置情報に関連する信号を受信し、受信した信号に基づいて自装置の位置を検出可能な
位置情報端末であって、
自装置から近距離無線通信可能範囲内にある他装置との間で、自装置の位置と目的地と
の間を含む経路情報を無線通信により互いに送受して取得する経路情報取得手段と、
取得した前記経路情報に基づいて自装置の誘導経路を設定する経路選択手段と、
を備えたことを特徴とする位置情報端末。
【請求項２】
前記経路選択手段は、前記経路情報取得手段で取得した前記経路情報が表わす経路を複
数取得した場合、取得した複数の前記経路情報を参照し、時間あるいは歩行し易さの少な
くともいずれかに関する基準によって、自装置の誘導経路を設定することを特徴とする請
求項１記載の位置情報端末。
【請求項３】
前記経路情報取得手段は、他装置から合わせて取得した移動情報、前記経路情報の生成
時刻情報、及び前記経路情報の精度情報に基づいて、自装置における誘導経路を設定する
ことを特徴とする請求項１又は２記載の位置情報端末。
【請求項４】
前記経路選択手段は、他装置から取得される前記経路情報の有意性を検出する有意性検
出手段を備え、
前記経路情報取得手段は、前記有意性検出手段で検出される前記経路情報の有意性が設
定値以上である他装置から前記経路情報を無線通信により取得することを特徴とする請求
項１〜３のいずれか１項に記載の位置情報端末。
【請求項５】
他装置を識別するためのＩＤ番号を検出するＩＤ番号検出手段を備え、
前記経路情報取得手段は、前記他装置のうちの特定のＩＤ番号が付されたものからの前
記経路情報の取得を禁止することを特徴とする請求項１〜４のいずれか１項に記載の位置
情報端末。
【請求項６】
前記位置情報に関連する信号に基づいて自装置が移動した場合の移動情報を保持する移
動情報保持手段と、
前記移動情報に基づいて生成された前記経路情報を保持する経路情報保持手段と、
他装置から問い合わせがあった場合、前記経路情報保持手段に保持している前記経路情
報を無線通信により提供する経路情報提供手段と、
を備えたことを特徴とする請求項１〜５のいずれか１項に記載の位置情報端末。
【請求項７】
前記経路情報取得手段によって取得される前記経路情報には、送信側の装置が生成した
経路情報、及び、送信側の装置が他装置から取得して保持している経路情報が含まれるこ
とを特徴とする請求項１〜６のいずれか１項に記載の位置情報端末。
【請求項８】
位置情報に関連する信号を受信し、受信した信号に基づいて自装置の位置を検出可能な
位置情報端末であって、
前記位置情報に関連する信号に基づいて自装置が移動した場合の移動情報を保持する移
動情報保持手段と、
前記移動情報に基づいて生成された経路情報を保持する経路情報保持手段と、
他装置から問い合わせがあった場合、前記経路情報保持手段に保持している前記経路情
報を無線通信により提供する経路情報提供手段と、
を備えたことを特徴とする位置情報端末。
【発明の詳細な説明】
【技術分野】
【０００１】
本発明は、位置情報に関連する信号を受信して自装置の位置を検出する位置情報端末に
関する。
【背景技術】
【０００２】
従来、ＧＰＳ（Ｇｌｏｂａｌ Ｐｏｓｉｔｉｏｎｉｎｇ Ｓｙｓｔｅｍ）衛星から送信さ
れる信号、あるいは、地上に設置された基地局等から送信される信号等、位置情報に関連
する信号を受信して、自装置の位置を検出する位置情報端末が知られている。
例えば、位置情報端末の代表的なものとして、ＧＰＳ衛星から送信される信号を基に自
装置の位置を検出するＧＰＳ受信装置が知られている。
このようなＧＰＳ受信装置は、見通し範囲にある４つのＧＰＳ衛星から電波を受信し、
受信した電波に基づいて各ＧＰＳ衛星のそれぞれの位置及び自装置までの距離を検出し、
検出した位置及び距離を用いた連立方程式を演算処理により解析することで、自装置の位
置を求める機能構成を有するものである（例えば特許文献１参照）。
【特許文献１】特開２００２−１９５８４６号公報
【発明の開示】
【発明が解決しようとする課題】
【０００３】
上述した特許文献１に係るＧＰＳ受信装置の場合、ＧＰＳ衛星からの電波を受信し、受
信した電波についての各種演算処理を行うことで自装置の位置を得る機能構成である。
一方、最近のＧＰＳ機能を備えた携帯電話機に代表される位置情報端末では、ユーザを
目的地まで誘導するための経路を表す経路情報を表示する機能を有しているものがある。
しかしながら、目的地まで誘導する経路情報を表示する場合、最短距離となる経路情報
が必ずしも最適な経路情報とはならない可能性がある。例えば、最短経路となる経路上の
いずれかの箇所で通行止めとなっている場合には、その経路情報は適切なものとはならな
い。
ここで、カーナビゲーションシステムにおいては、ＶＩＣＳ（Vehicle Information an
d Communication System）を用いて目的地までの経路の状況を把握し、渋滞を回避した、
最短時間となる経路情報を表示することが行われている。
【０００４】
しかし、従来、目的地までの経路の状況を把握するためには、ＶＩＣＳを用いる場合を
含め、情報の収集および提供を行うための大規模なシステムを構築する必要があり、簡単
に目的地までの経路の状況を把握することは困難であった。
特に、ＶＩＣＳは自動車を誘導することを前提とした技術であるため、携帯電話機のア
プリケーションとして歩行者を案内する場合等に必ずしも有効なものとならない可能性が
ある。
このように、従来の技術においては、ユーザを目的地まで誘導するためのより適切な経
路情報を簡単に提示することが困難であった。
そこで、本発明の技術的課題は、ユーザを目的地まで誘導するためのより適切な経路情
報を簡単に提示することである。
【課題を解決するための手段】
【０００５】
上記技術的課題を解決するため、第１の発明は、
位置情報に関連する信号（例えば、ＧＰＳ信号あるいは基地局から送信される位置を検
出するための信号）を受信し、受信した信号に基づいて自装置の位置を検出可能な位置情
報端末であって、
自装置から近距離無線通信可能範囲内にある他装置との間で、自装置の位置と目的地と
の間を含む経路情報を無線通信により互いに送受して取得する経路情報取得手段（例えば
、図１の経路情報交換部６）と、
取得した前記経路情報に基づいて自装置の誘導経路を設定する経路選択手段（例えば、
図１の制御部７）と、
を備えたことを特徴とする位置情報端末である。
このような構成によれば、自装置の近くにある他装置との間で無線通信により経路情報
を取得し、その経路情報に基づいて自装置のより適切な誘導経路を決定できるため、移動
体通信端末相互間で検出された位置から得られる情報を交換して有効に利用できる。
即ち、本発明によれば、ユーザを目的地まで誘導するためのより適切な経路情報を簡単
に提示することが可能となる。
【０００６】
第２の発明は、
前記経路選択手段は、前記経路情報取得手段で取得した前記経路情報が表わす経路を複
数取得した場合、取得した複数の前記経路情報を参照し、時間あるいは歩行し易さの少な
くともいずれかに関する基準によって、自装置の誘導経路を設定することを特徴とする位
置情報端末である。
このような構成によれば、自装置の近くにある他装置との間で無線通信により取得した
経路情報が表わす経路を基に、歩行により適した経路を設定することができる。
【０００７】
第３の発明は、
前記経路情報取得手段は、他装置から合わせて取得した移動情報、前記経路情報の生成
時刻情報、及び前記経路情報の精度情報に基づいて、自装置における誘導経路を設定する
ことを特徴とする位置情報端末である。
このような構成によれば、他装置から取得した経路情報を用いた場合の自装置における
誘導経路の設定を精度良く行うことができる。
【０００８】
第４の発明は、
前記経路選択手段は、他装置から取得される前記経路情報の有意性を検出する有意性検
出手段（例えば、図１の制御部７）を備え、
前記経路情報取得手段は、前記有意性検出手段で検出される前記経路情報の有意性が設
定値以上である他装置から前記経路情報を無線通信により取得することを特徴とする位置
情報端末である。
このような構成によれば、他装置から有意な経路情報を取得することで、無駄な経路情
報を取得することなく、より適切に誘導経路を設定することができる。
【０００９】
第５の発明は、
他装置を識別するためのＩＤ番号を検出するＩＤ番号検出手段（例えば、図１の周辺端
末検出部５）を備え、
前記経路情報取得手段は、前記他装置のうちの特定のＩＤ番号が付されたものからの前
記経路情報の取得を禁止することを特徴とする位置情報端末である。
このような構成によれば、精度の低い経路情報を提供する装置のＩＤ番号を記憶してお
き、そのＩＤ番号が付された装置からの経路情報の取得を禁止することで、誘導経路をよ
り適切に設定する精度を向上させることができる。
【００１０】
第６の発明は、
前記位置情報に関連する信号に基づいて自装置が移動した場合の移動情報を保持する移
動情報保持手段（例えば、図１の移動情報記憶部１２）と、
前記移動情報に基づいて生成された前記経路情報を保持する経路情報保持手段（例えば
、図１の経路情報記録部８）と、
他装置から問い合わせがあった場合、前記経路情報保持手段に保持している前記経路情
報を無線通信により提供する経路情報提供手段（例えば、図１の経路情報交換部６）と、
を備えたことを特徴とする位置情報端末である。
第７の発明は、
前記経路情報取得手段によって取得される前記経路情報には、送信側の装置が生成した
経路情報、及び、送信側の装置が他装置から取得して保持している経路情報が含まれるこ
とを特徴とする位置情報端末である。
【００１１】
第８の発明は、
位置情報に関連する信号を受信し、受信した信号に基づいて自装置の位置を検出可能な
位置情報端末であって、
前記位置情報に関連する信号に基づいて自装置が移動した場合の移動情報を保持する移
動情報保持手段と、
前記移動情報に基づいて生成された経路情報を保持する経路情報保持手段と、
他装置から問い合わせがあった場合、前記経路情報保持手段に保持している前記経路情
報を無線通信により提供する経路情報提供手段と、
を備えたことを特徴とする位置情報端末である。
【００１２】
このような構成によれば、自装置の近くにある他装置へ移動情報を参照して生成した経
路情報を無線通信により提供し、他装置においては、取得した経路情報を基に自装置のよ
り適切な誘導経路を設定することができる。
このように、本発明によれば、ユーザを目的地まで誘導するためのより適切な経路情報
を簡単に提示することが可能となる。
【発明を実施するための最良の形態】
【００１３】
以下、本発明の位置情報端末に係る実施形態について、図面を参照して詳細に説明する
。
（実施形態）
図１は、本発明の実施形態に係る位置情報端末の一例であるＧＰＳ機能付き携帯電話機
１Ａの機能構成を示した概略ブロック図である。
この携帯電話機１Ａは、ＧＰＳ衛星から送信される電波を受信し、受信した電波に基づ
いて自装置の位置（現在位置）を検出するＧＰＳ機能を備えている。そして、同一の機能
を有する複数の携帯電話機（携帯電話機１Ｂ）と基地局とによって携帯電話システムが構
成され、各携帯電話機は、基地局を経由することにより相互に無線通信可能な移動体通信
端末となっている。又、本発明における携帯電話機は、近距離無線通信等によって、携帯
電話機同士が互いに通信を行う機能を有している。
【００１４】
そして、この携帯電話機１Ａは、自装置の位置と目的地との間を含む経路を、自装置か
ら近距離無線通信可能範囲内（例えば５ｍ）にある他の携帯電話機１Ｂが移動履歴として
保持している場合に、その携帯電話機１Ｂとの間で、移動履歴のうち、自装置の位置と目
的地との間を含む経路情報を、無線通信により取得する経路情報取得手段と、取得した経
路情報に基づいて自装置のより適切な誘導経路（以下、「最適経路」とも言う。）を選択
する経路選択手段とを有している。尚、ここでは、地図上にノードを設定し、そのノード
の通過を判定することによって、所定の経路を通過したか否かを識別可能としているもの
とし、携帯電話機１Ａ，１Ｂは、経路情報として、通過したノードを示す情報を交換可能
であるものとする。又、経路の通過時間は、このノード間の通過時間を基に算出すること
ができる。
【００１５】
図１において、携帯電話機１Ａは、携帯通信ユニット２、ＧＰＳ機能部３、近距離通信
部４、周辺端末検出部５、経路情報交換部６、制御部７、及び経路情報記録部８を備えて
構成される。
このうち、携帯通信ユニット２は、ユーザによって電話の発信操作又は受信操作が行わ
れたとき、携帯電話システムの基地局を介して自装置を他装置と通話可能に接続する。
ＧＰＳ機能部３は、制御部７から出力される指令に従って、ＧＰＳ衛星から送信される
電波を受信し、受信した電波に演算処理を施して自装置の位置を検出する。
【００１６】
具体的には、制御部７から衛星情報生成指令（後述する衛星軌道情報及び捕捉衛星情報
の生成を指示する指令）が出力されると、先ずアンテナにより構成される衛星信号受信部
９でＧＰＳ衛星から電波（ＧＰＳ信号）を受信し、受信したＧＰＳ信号を増幅したものを
中間周波数にダウンコンバートし、ダウンコンバートしたＧＰＳ信号をディジタル信号に
変換する。この後、変換したディジタル信号にスペクトラム逆拡散処理及び同期追跡処理
等を行って航法メッセージを取得し、取得した航法メッセージから衛星軌道情報を生成し
、メモリにより構成される衛星情報記憶部１０に記憶させる。ここで、衛星軌道情報とし
ては、例えば各ＧＰＳ衛星固有の軌道データであるエフェメリスデータや全ＧＰＳ衛星の
軌道データであるアルマナックデータ等が挙げられる。このようにして生成した衛星軌道
情報に基づいて自装置から一定の仰角範囲にあるＧＰＳ衛星を算出し、このＧＰＳ衛星を
検索対象とする。
【００１７】
次に、ＧＰＳ機能部３は、衛星信号受信部９で受信されるＧＰＳ信号から検索対象とし
たＧＰＳ衛星のＣ／Ａコード及び周波数を含む信号を検索し、この検索結果に基づいて捕
捉衛星情報（acquisition情報）を生成して衛星情報記憶部１０に記憶させる。ここで、
捕捉衛星情報とは、自装置でＧＰＳ信号を受信できたＧＰＳ衛星を特定する情報である。
捕捉衛星情報としては、例えば自装置でＧＰＳ信号を受信できたＧＰＳ衛星のＩＤ番号、
軌道データ、Ｃ／Ａコード及び周波数等が挙げられる。尚、衛星情報記憶部１０には、携
帯電話機１Ａの製造時に製造者によって製造場所での位置情報、衛星軌道情報及び補足衛
星情報が記憶される。
【００１８】
更に、ＧＰＳ機能部３は、制御部７から位置検出指令（自装置の位置の検出を指示する
指令）が出力されると、衛星情報記憶部１０に記憶されている最新の衛星軌道情報及び捕
捉衛星情報に基づいて捕捉衛星情報が特定するＧＰＳ衛星を検索対象とし、衛星信号受信
部８で受信されるＧＰＳ信号から検索対象としたＧＰＳ衛星のＣ／Ａコード及び周波数を
含む信号を検索する。
このようにして、ＧＰＳ機能部３では、係る検索結果及び衛星情報記憶部１０に記憶さ
れている最新の衛星軌道情報に基づいて位置算出部１１で自装置の位置の情報を検出して
制御部７に出力する。制御部７では位置情報を移動情報記憶部１２の移動情報に含ませて
記憶させる。
【００１９】
即ち、ここでの制御部７は、自装置が移動した場合に、移動情報記憶部１２に記憶され
ている自装置の移動情報の履歴を参照して自装置の移動情報（現在の移動方向や移動速度
が含まれる）を算出し、その算出結果を位置の情報に合わせて移動情報記憶部１２に記憶
させる。即ち、移動情報記憶部１２は、最新の位置情報を含む移動情報を保持する移動情
報保持手段として働く。
又、制御部７は、移動情報に基づいて経路情報記録部８に記録されている自装置の経路
情報の履歴を参照して最新の経路情報を算出し、その算出結果を経路情報記録部８の履歴
に追加して記録させる。即ち、経路情報記録部８は、移動情報に基づいて生成された経路
情報を保持する経路情報保持手段として働く。
【００２０】
因みに、この経路情報には、得られた位置情報、移動情報からノード間の混雑情報等を
記録してそれらを表示させると共に、自装置（端末）が持つ目的地情報等に関連した情報
提示を行わせるための付属データが含まれている。
又、経路情報には、自装置の移動情報、経路情報の生成時刻情報、及び経路情報の精度
情報が付加される。
尚、経路情報の精度情報は、その経路情報が経路選択を行うために参照する情報として
、適切なものである度合いを示すものである。
【００２１】
例えば、ユーザが寄り道をした場合には、その経路を寄り道することなく移動した場合
に比べて所要時間が増加するため、経路選択を行う際に参照する情報としては、適切なも
のである度合いが低下する。そのため、ユーザが店舗内で一定時間以上留まっている場合
等には、寄り道をしているものと判定し、その経路情報の精度情報を低精度に設定するこ
とができる。又、携帯電話機１ＡのＧＰＳ機能が十分な精度で位置を検出していない場合
（ＧＰＳ機能の不具合が生じている場合や捕捉した衛星数が少ない場合等）には、その経
路情報が示す位置そのものの信頼性が低下するため、このような場合にも、経路情報の精
度情報を低精度に設定することが可能である。
【００２２】
尚、経路情報の精度情報を設定する上では、上記のような寄り道あるいはＧＰＳ機能に
よる位置検出精度の低下等を制御部７が自動的に判定して、精度情報を設定することが可
能である。又、携帯電話機１Ａのユーザが、寄り道等、自らの行動を判断したり、ＧＰＳ
機能の適否を判断したりして、精度情報を操作入力によって設定することも可能である。
そして、制御部７は、移動情報記憶部１２及び経路情報記録部８に保持されている移動
情報及び経路情報を参照して、自装置の位置から目的地までの最適経路を算出する。
【００２３】
ここで、取得した移動情報及び経路情報は、目的地までの経路を選択するために参照さ
れるものであるため、携帯電話機１Ａの位置から目的地までの経路として不適切な情報（
例えば、行き止まりの経路、あるいは、歩行通路として現在地及び目的地の双方から非連
続な経路等、最適経路として採用され得ない経路についての情報）については、制御部７
の参照対象から除外したり、携帯電話機１Ｂからの取得対象あるいは携帯電話機１Ａの保
持対象から除外したりすることが可能である。
近距離通信部４は、周辺端末検出部５、経路情報交換部６、及び制御部７から出力され
る指令に従って、他装置の近距離通信部との間で無線通信を行う。尚、このときの無線通
信は、携帯電話システムの基地局を介することなく、電波を用いた近距離無線通信で直接
的に行われる。
【００２４】
又、本実施形態では、電波を用いて近距離無線通信を行う例を示すが、これに限られる
ものではない。例えば、光を用いるものであってもよい。
具体的に云えば、近距離通信部４は、周辺端末検出部５から照会信号送信指令（照会信
号の送信を指示する指令）が出力されると、無線通信の電波が届く領域に照会信号（他装
置に応答信号の送信を要求する信号）を送信する。この照会信号の送信は、他装置から応
答信号（照会信号を受信したことを伝える信号）を受信するまで続けられる。他装置の近
距離通信部から照会信号を受信すると、その近距離通信部に応答信号を送信する。応答信
号としては、自装置を特定するＩＤ番号を表わすものが用いられる。こうして、近距離通
信部４は、他装置の近距離通信部から送信される応答信号を受信する。
【００２５】
又、近距離通信部４は、経路情報交換部６から情報問い合わせ信号送出指令（経路情報
交換部６が指定する他装置に情報問い合わせ信号の送信を指示する指令）が出力されると
、その情報問い合わせ信号送出指令で指定される他装置の近距離通信部に情報問い合わせ
信号（経路情報の提供を問い合わせる信号）を送信する。これにより、近距離通信部４は
、他の装置の近距離通信部から送信される経路情報を受信する。因みに、ここでも経路情
報には、他装置の移動情報、経路情報の生成時刻情報、及び経路情報の精度情報が付加さ
れている。
更に、近距離通信部４は、他装置の近距離通信部から情報問い合わせ信号を受信すると
、その近距離通信部に移動情報記憶部１２に記憶されている自装置の最新の移動情報（位
置情報を含む）、経路情報記録部８に記録されている経路情報を送信する。即ち、近距離
通信部４は、他装置から問い合わせがあった場合、経路情報記録部８に記録している経路
情報等を近距離無線通信により提供する。
【００２６】
周辺端末検出部５は、制御部７から出力される指令に従って、自装置から近距離無線通
信可能な範囲内（例えば５ｍ以内）にある他装置（携帯電話機１Ａ）を検出する。
具体的に云えば、周辺端末検出部５は、制御部７から端末検出指令（他装置の検出を指
示する指令）が出力されると、先ず近距離通信部４に照会信号送信指令を出力し、他装置
の近距離通信部から自装置の近距離通信部４によって応答信号を受信する。
そして、周辺端末検出部５は、検出した応答信号の送信元である他装置のＩＤ番号を検
出し、その検出結果を制御部７に送信する。ＩＤ番号の検出は、受信した応答信号を解析
することで行う。尚、周辺端末検出部５は、近距離通信部４が複数の応答信号を受信した
場合、各装置のＩＤ番号を検出し、その検出結果を制御部７に送信する。
【００２７】
因みに、周辺端末検出部５は、検出した他装置のＩＤ番号が現時点から所定時間内（例
えば、１分以内）に検出されたことがあるＩＤ番号である場合、受信した応答信号のうち
そのＩＤ番号を除いたＩＤ番号を制御部７に送信する。
ところで、本実施形態では、近距離通信部４が無線通信の電波が届く領域に照会信号を
送信することで、照会信号を受信した他装置の近距離通信部のそれぞれに応答信号を送信
させる例（ポーリング）を示したが、適用手段はこれに限定されるものではない。例えば
、全ての携帯電話機の近距離通信部が常に応答信号を送信するようにしても良い。そして
、制御部７から端末検出指令が出力された場合、周辺端末検出部５が照会信号を送出する
ことなく、他装置の近距離通信部から送信される応答信号を受信しても良い。
【００２８】
経路情報交換部６は、制御部７から出力される指令に従って、近距離通信部４を介して
、周辺端末検出部５で検出された他装置との間で移動情報及び経路情報を送受する。
具体的には、経路情報交換部６は、制御部７から情報交換指令（周辺端末検出部５で検
出された他装置との間で移動情報及び経路情報の送受を指示する指令）が出力されると、
情報問い合わせ信号送出指令（周辺端末検出部５で検出された他装置に情報問い合わせ信
号を送信させる指令）を近距離通信部４に出力する。
又、経路情報交換部６は、自装置の近距離通信部４が他装置の近距離通信部との間で移
動情報及び経路情報を送受すると、他装置から受信した移動情報及び経路情報を制御部７
に出力する。
【００２９】
これにより、各携帯電話機間において、高い頻度で移動情報及び経路情報を交換するこ
とが可能となり、自装置の近くにある他装置との間で経路情報を無線通信により取得し、
取得した経路情報が表わす経路を基に、自装置の最適な経路を設定することができる。
尚、自装置の移動情報記憶部１２に記憶された移動情報及び経路情報記録部８に記録さ
れた経路情報を他装置から自由に取得可能としている場合に限り、他装置から移動情報及
び経路情報を取得可能とするシステム設定としても良い。
制御部７は、ユーザによって行われる携帯電話機１Ａへの操作入力に従って、携帯通信
ユニット２、ＧＰＳ機能部３、近距離通信部４、周辺端末検出部５、経路情報交換部６、
経路情報記録部８の各部をそれぞれ制御する。
【００３０】
図２は、制御部７の動作処理を示すフローチャートである。
制御部７は、携帯電話機１Ａにおいて経路情報処理を開始させる操作が行われると、周
辺端末検出部５に端末検出指令を出力し、周辺端末検出部５から他装置のＩＤ番号が出力
されると、そのＩＤ番号で表わされる他装置との間で移動情報及び経路情報の交換を指示
する情報交換指令を経路情報交換部６に出力する動作処理を行うことにより、周辺端末が
あるか否かの判定（ステップＳ１）を行う。
この結果、周辺端末がなければ、この判定処理の前にリターンして待機するが、周辺端
末があればそのＩＤ番号で表わされる他装置である相手携帯電話機１Ｂとの間で経路情報
（移動情報を含む）送受を行う処理（ステップＳ２）に移行する。
【００３１】
次に、制御部７は、相手携帯電話機１Ｂから受信された経路情報に適確性があるか否か
を判定（ステップＳ３）する。この経路情報の適確性の判定では、例えば経路情報に付加
された諸情報である移動情報（最新の位置情報を含む）及び生成時刻情報を参照して判定
する。例えば受信された経路情報について、移動情報によって示される他装置の移動方向
が自装置の移動方向と同一であるか否か、および、生成時刻から現時点までの経過時間が
所定時間（例えば１時間）以内であるか否かに基づいて判定する。即ち、移動方向が自装
置と同一でなく経過時間が１時間以内である場合には経路情報が適確であると判定し、そ
れ以外の場合には経路情報が適確でないと判定する。勿論、経路情報に適確性があるか否
かの判定（ステップＳ３）では、更に経路情報に付加された精度情報を加えることも可能
であり、上述した移動情報や経過時間が良好でも、精度が悪過ぎる場合には適確でないと
判定させることもできる。
【００３２】
なお、適確性の判断基準は、種々の設定とすることが可能であり、例えば、生成時刻情
報のみを基準とすることも可能である。
そこで、経路情報に適確性がなければ、周辺端末があるか否かの判定（ステップＳ１）
前にリターンして待機することにより、上記処理を再度実行するようにするが、経路情報
が適確であれば、経路情報交換部６から出力される経路情報を自装置の最適な経路情報と
して経路情報記録部８に記録させると共に、付加される移動情報を移動情報記憶部１２に
記憶させることにより、経路情報更新の処理（ステップＳ４）を行う。
【００３３】
この後、制御部７は、経路情報記録部８に記録された経路情報に基づく移動経路提示の
処理（ステップＳ５）結果を表示部に表示させる。この移動経路提示の処理（ステップＳ
５）では、移動情報記憶部１２に記憶された自装置の移動情報（最新の位置情報を含む）
に基づく位置、経路情報記録部８に記録された経路情報による最適経路を周辺地図と共に
表示部に表示させる。因みに、経路情報に付加される精度情報を利用する場合についても
、例えば精度を示す指標（精度のレベルを示すインジケータ等）に変換して表示すること
が可能である。
なお、このとき示される最適経路は、例えば、異なる２つのノード間について、複数の
携帯電話機１Ａから複数経路を経由する経路情報が取得されている場合に、いずれの経路
が最短時間となっているかを基準として判定することができる。
【００３４】
又、地図情報において、階段や坂等、歩行のし易さを判定可能な情報が示されている場
合には、時間に加え、歩行のし易さを基準とした判定を行うことができる。この場合、時
間による要素と歩行のし易さによる要素とを重み付け平均すること等によって、これらの
要素双方に鑑みた最適経路を判定することができる。
更に、制御部７は、係る手順処理をリターンして繰り返すことで、相手携帯電話機１Ｂ
以外の他装置との間で同様な処理を行い、携帯電話機１Ａの表示部に表示される最適経路
を随時更新する。
【００３５】
以下は、本実施形態に係る携帯電話機１Ａ、１Ｂ間で経路情報を交換する場合の通信動
作（携帯電話機１Ａにおける経路情報の更新、最適な経路の選択表示）を説明する。
図３は、携帯電話機１Ａ、１Ｂ間の通信状態を説明するための説明図である。図３中に
示されるように、携帯電話機１Ａ、１Ｂには、何れも移動情報／経路情報が時刻情報を伴
って保有されており、これらの情報を相互に交換できるものとする。
移動情報は、移動履歴情報を示すものであり、経路情報は通過したノードを示すもので
ある。図４は、携帯電話機１Ａ、１Ｂ間の動作処理を示すシーケンス図である。
先ず戸外の或る地点にいるユーザＡが、自身の携帯電話機１Ａに経路情報の交換を開始
させる操作を行った場合を想定する。
【００３６】
このとき、ユーザＡの携帯電話機１Ａでは、先ず制御部７が周辺端末検出部５に端末検
出指令を出力する。端末検出指令を取得した周辺端末検出部５は、近距離通信部４に照会
信号送信指令を出力する。照会信号送信指令を取得した近距離通信部４は、無線通信の電
波が届く領域に照会信号を送信する。こうした処理は、ユーザＡが他の携帯電話機１Ｂを
所持するユーザＢと接近するまで繰り返され、シーケンス図中では周辺端末検出（手順１
）で示される。
ここで、ユーザＡが戸外でユーザＢと接近したとする。尚、他の携帯電話機１Ｂの移動
情報記憶部、経路情報記録部には、精度の高い移動情報、経路情報が記憶、保持されてい
るとする。
【００３７】
こうした場合、携帯電話機１Ｂでは、近距離通信部が照会信号を受信し、携帯電話機１
Ａの近距離通信部４に応答信号を送信する。
この応答信号を近距離通信部４が受信すると、周辺端末検出部５がその応答信号の送信
元である他の携帯電話機１ＢのＩＤ番号を検出し、そのＩＤ番号を制御部７に出力する。
この処理が携帯電話機１Ｂの検出（手順２）で示される。
ＩＤ番号を取得した制御部７は、そのＩＤ番号で表される他の携帯電話機１Ｂとの間で
移動情報及び経路情報の交換を指示する情報交換指令を経路情報交換部６に出力する。情
報交換指令を取得した位置情報交換部６は、他の携帯電話機１Ｂに情報問い合わせ信号を
送信させる情報問い合わせ信号送出指令を近距離通信部４に出力する。
【００３８】
情報問い合わせ信号送出指令を取得した近距離通信部４は、携帯電話機１Ｂの近距離通
信部に情報問い合わせ信号を送信する。
情報問い合わせ信号を取得した携帯電話機１Ａの近距離通信部は、携帯電話機１Ａの近
距離通信部４に自装置の移動情報記憶部に記憶されている移動情報、経路情報記録部に保
持されている経路情報を送信する。このとき、携帯電話機１Ｂからも情報問い合わせの要
求があれば、携帯電話機１Ａの方からも同様な処理手順で携帯電話機１Ｂへ移動情報、経
路情報を送信する。この処理が移動情報／経路情報送受（手順３）で示される。
【００３９】
以下は、ユーザＡの携帯電話機１Ａ側での経路情報の更新、最適な経路の選択表示に至
る処理を説明する。
携帯電話機１Ｂから移動情報、経路情報を携帯電話機１Ａの近距離通信部４が受信する
と、制御部７が移動情報を移動情報記憶部１２に記憶し、経路情報を経路情報交換部６経
由で経路情報記録部８に記録する。そこで、制御部７は、取得した経路情報が適確なもの
であるか否かを移動情報に基づいて判定する。この処理が経路情報適確性判定（手順４）
で示される。
【００４０】
ここで、取得した経路情報の有意性として、経路情報に付加される移動情報の移動方向
、並びに生成時刻情報の経過時間の制約について、移動情報に含まれる移動方向が自装置
と同一でなく、経過時間が１時間以内である場合、制御部７は取得した経路情報が適確な
ものであると判定するが、それ以外の場合は不適確と判定する。勿論、経路情報の精度が
付加されていれば、それが良くない場合にも不適確と判定する。
次に、制御部７は、取得した経路情報について、移動情報記憶部１２に記憶された移動
情報の履歴を参照し、その移動情報（移動履歴情報）を取得する。この処理が移動履歴情
報処理（手順５）で示される。
【００４１】
更に、制御部７は、経路情報記録部８への記録により更新した経路情報に基づいてその
移動情報（移動履歴情報）を参照して経路の探索を行う。この処理が更新した経路情報に
基づく経路探索（手順６）で示される。
そして、更新した経路情報の経路探索の結果、最適な経路情報が選択されると、制御部
７は、移動情報記憶部１２に記憶された自装置の最新の位置情報を含む移動履歴情報に基
づく最適な経路を現在地付きで周辺地図と共に表示部１３に表示させ、迅速に最適な経路
情報の選択表示を行う。
これにより、ユーザＡは、ユーザＢから受信した移動情報、経路情報に基づく最適な経
路を表示部１３上で知ることができる。勿論、携帯電話機１Ｂからも情報問い合わせの要
求があった場合にも、同様な処理が行われ、ユーザＢはユーザＡから受信した移動情報、
経路情報に基づく最適な経路を表示部上で知ることができる。
【００４２】
尚、制御部７のデータ処理として、ここでは受信した移動情報、経路情報を移動情報記
憶部１２、経路情報記録部８に記憶、記録してから経路情報適確性の判定を行う手順の処
理を説明したが、これらの情報を一時保持して適性が確認されたものについて、記憶や記
録を行わせるようにしても良い。又、例えば図３中に示されるユーザＢの携帯電話機１Ｂ
（ユーザＡの携帯電話機１Ａについても同様）は、外部のサーバから経路情報を無線通信
で送受できる場合を示しているが、こうした機能はあくまでも付加的なものであり、基本
的な技術は移動体通信端末間で近距離通信部を用いた移動情報、経路情報を送受する交換
機能である。
【００４３】
即ち、本実施形態に係る携帯電話機１Ａにおいて、経路情報交換部６は、制御部７、周
辺端末検出部５、近距離通信部４、及び携帯通信ユニット２と協働し、自装置から近距離
無線通信可能範囲内にある他装置との間で経路情報を無線通信により互いに送受して取得
する経路情報取得手段として機能する。又、近距離通信部４は、制御部７、経路情報交換
部６、周辺端末検出部５、及び携帯通信ユニット２と協働し、経路情報記録部８に保持し
ている経路情報を無線通信により提供する経路情報提供手段として機能する。更に、制御
部７は、ＧＰＳ機能部３、経路情報交換部６、周辺端末検出部５、近距離通信部４、携帯
通信ユニット２、経路情報記録部８、移動情報記憶部１２と協働し、取得した経路情報の
有意性を検出する有意性検出手段として機能すると共に、取得した経路情報に基づいて自
装置の最適な経路を選択する経路選択手段として機能する。
【００４４】
尚、本実施形態では、携帯電話機１Ａが他装置から取得した最適な経路を現在地付きで
周辺地図と共に表示部に表示し、ユーザＡに直接的に提供する例を示したが、実用的な形
態はこれに限定されない。例えば最適な経路情報を他のデータ処理に用い、その処理結果
をメッセージ表示することで、ユーザＡに間接的に提供するようにしても良い。又、処理
結果の最適な経路情報を自動的に他の機器に送信（例えば携帯電話機の子機から親機へ送
信する場合を例示できる）しても良い。
【００４５】
又、本実施形態では、携帯電話機１Ａに経路情報の交換の開始操作が行われることによ
り、携帯電話機１Ａが他装置からの経路情報の交換を開始する場合を例示したが、実用的
な形態はこれに限定されない。例えば携帯電話機１Ａへの操作の有無に拘らず他装置から
の経路情報の交換を自動的に繰り返し実行する機能にしても良い。
更に、本実施形態では、携帯電話機１Ａが、携帯通信ユニット２とＧＰＳ機能部３とを
別個に備える場合を例示したが、実用的な形態はこれに限定されない。例えば携帯通信ユ
ニット２が有するＣＰＵ（図示せず）によりＧＰＳ機能部３の機能を実行するようにして
も良い。
加えて、本実施形態では、携帯電話機１Ａが単独で検出したＧＰＳ衛星に基づく位置情
報、及び他装置から取得した位置情報を用いる場合（移動情報記憶部１２の移動情報に含
めて記憶させる）を例示したが、実用的な形態はこれに限定されない。例えば携帯電話機
１Ａは、位置の情報を提供する各種機器から位置情報を取得しても良い。
【００４６】
具体的に云えば、例えば携帯電話機１ＡがＲＦＩＤ（Ｒａｄｉｏ Ｆｒｅｑｕｅｎｃｙ 
Ｉｄｅｎｔｉｆｉｃａｔｉｏｎ)読み取り装置と通信可能なＩＤタグを備え、ＩＤタグが
ＲＦＩＤ読み取り・書き込み装置にかざされたとき、ＩＤタグを介してＲＦＩＤ読み取り
装置から位置情報を取得するようにしても良い。この場合、ＲＦＩＤ読み取り装置から取
得した位置情報は、携帯電話機１Ａ（例えば制御部７）が移動情報記憶部１２の移動情報
に含まれるように記憶させるものとする。このようにすれば、例えばユーザが位置情報の
提供機能を持っているＲＦＩＤ読み取り装置（例えば自動改札等に設置されるＲＦＩＤ読
み取り装置）に携帯電話機１ＡのＩＤタグをかざすことで、携帯電話機１Ａは、ＩＤタグ
を介して、ＲＦＩＤ読み取り装置から位置情報を取得でき、取得した位置情報を移動情報
記憶部１２の移動情報に含まれるように記憶させることができる。
【００４７】
一方、本実施形態では、携帯電話機１Ａが他装置から経路情報を受信した後、受信した
経路情報の適確性を判定する場合を例示したが、実用的な形態はこれに限定されない。例
えば携帯電話機１Ａが他装置から経路情報を受信する前、他装置から経路情報の生成時刻
の情報を取得し、取得した生成時刻の情報に基づいて他装置から受信できる経路情報の適
確性を検出するようにしても良い。この場合、携帯電話機１Ａは、他装置から受信できる
経路情報が適確であると判定した後、他装置から経路情報を受信するものとする。
【００４８】
他方、本実施形態では、携帯電話機１Ａが他装置から移動情報、経路情報を取得する場
合を例示したが、実用的な形態はこれに限定されない。例えば各携帯電話機を識別するた
めのＩＤ番号を各携帯電話機にそれぞれに記憶させておき、携帯電話機１Ａが他装置から
移動情報、経路情報を取得する前、他装置のＩＤ番号を取得するようにしても良い。そこ
で、携帯電話機１Ａは、取得したＩＤ番号を参照することで、他装置のうちの特定のＩＤ
番号が付されたものからの移動情報、経路情報の取得を禁止するようにしても良い。即ち
、こうした場合、携帯電話機１Ａは、精度の低い移動情報、経路情報を提供する他装置の
ＩＤ番号を記憶しておき、そのＩＤ番号が付された他装置からの移動情報、経路情報の取
得を禁止することにより、自装置の最適な経路の選定精度を向上することができる。
【００４９】
以上に説明した本実施形態に係る携帯電話機１Ａの場合、以下に記すような諸点で利点
がある。
第１の利点は、携帯電話機１Ａが自装置から近距離無線通信可能範囲内にある他装置と
の間で移動した移動履歴で示される経路情報を無線通信により互いに送受して取得し、取
得した経路情報に基づいて自装置の最適な経路を選択決定するため、移動体通信端末相互
間でＧＰＳ機能から得られる情報を交換して有効に利用でき、しかも取得した経路情報が
表わす経路を基に簡易に自装置の最適な経路を設定できる点である。
【００５０】
第２の利点は、携帯電話機１Ａが他装置から経路情報に加え、他装置から合わせて取得
した移動情報、経路情報の生成時刻情報、及び経路情報の精度情報に基づいて、自装置に
おける最適経路を選定するため、他装置から取得した経路情報を用いた場合の自装置にお
ける最適経路の選定を精度良く行うことができる点である。
第３の利点は、第２の利点で示した経路情報に付加される移動情報、生成時刻情報、及
び精度情報の重み付けであり、例えば移動情報では移動方向、生成時刻情報では経過時間
をそれぞれ制約し、精度情報ではユーザ自らが設定する参照項目（寄り道等があった場合
には低精度とする）とできるため、他装置から有意な経路情報を取得することができる点
である。
【００５１】
第４の利点は、携帯電話機１Ａが他装置を識別するためのＩＤ番号を検出するようにし
、他装置のうちの特定のＩＤ番号が付されたものからの経路情報の取得を禁止するため、
精度の低い経路情報を提供する装置のＩＤ番号を記憶しておけば、そのＩＤ番号が付され
た装置からの経路情報の取得を禁止することができ、最適な経路の選定精度を向上させる
ことができる点である。
第５の利点は、携帯電話機１Ａが他装置から送信される情報問い合わせ信号を受信した
場合、経路情報記録部８に保持されている経路情報を他装置へ無線通信により提供するた
め、他装置においては、取得した経路情報を自装置の最適な経路とすることができ、各装
置間で最適な経路の取得並びに決定を迅速に行うことができる点である。
【００５２】
（変形例１）
上記実施形態では、携帯電話機１Ａが他装置から移動情報、経路情報を取得する場合を
例示したが、実用的な形態はこれに限定されない。例えば変形例１では、移動情報、経路
情報に加え、衛星情報記憶部１０に記憶されている衛星軌道情報及び捕捉衛星情報を取得
するようにしても良い。この場合、位置情報、移動状態情報、衛星軌道情報、及び捕捉衛
星情報を他装置から受信した携帯電話機１Ａにおいて、先ず移動情報、経路情報を用いて
自装置の概略的な経路を表示し、その間に衛星軌道情報及び捕捉衛星情報を用いて衛星情
報が示すＧＰＳ衛星から送信されるＧＰＳ信号を受信し、より正確に位置を表示すること
ができる。
このような機能を付加すれば、ＧＰＳ衛星から送信されるＧＰＳ信号を受信できる状態
となった後、自装置において単独で位置を算出する場合よりも速やかに自装置の位置をユ
ーザに提供できる。
【００５３】
（変形例２）
上記実施形態では、携帯電話機１Ｂにおいて算出された移動情報及び経路情報を携帯電
話機１Ａが取得する場合について説明したが、携帯電話機１Ｂが他の携帯電話機（「携帯
電話機１Ｃ」とする。）から取得した移動情報及び経路情報を、携帯電話機１Ａに提供す
ることも可能である。
即ち、変形例２では、携帯電話機１Ａが携帯電話機１Ｂから移動情報及び経路情報を取
得するのに先立ち、携帯電話機１Ｂが、携帯電話機１Ｃが保持している移動情報及び経路
情報を取得している。
携帯電話機１Ｂは、携帯電話機１Ｃから移動情報及び経路情報を取得すると、携帯電話
機１ＣのＩＤ番号と対応付けて、取得した移動情報及び経路情報を移動情報記憶部１２及
び経路情報記録部８にそれぞれ格納する。
【００５４】
そして、携帯電話機１Ａからの情報問い合わせ信号を受信し、携帯電話機１Ｂが携帯電
話機１Ａに移動情報及び経路情報を送信する際、携帯電話機１Ｂは、自装置において算出
した移動情報及び経路情報に加え、携帯電話機１Ｃから取得した移動情報及び経路情報を
移動情報記憶部１２および経路情報記録部８から読み出し、携帯電話機１Ａに送信する。
これにより、携帯電話機１Ａは、携帯電話機１Ｂと近距離無線通信可能な距離となった
場合に、携帯電話機１Ｂが自装置において算出した移動情報及び経路情報に加え、携帯電
話機１Ｂが他装置から受信した移動情報及び経路情報を取得できるため、より多様な移動
情報及び経路情報を取得し、自装置の最適な経路設定に用いることができる。
【００５５】
尚、携帯電話機１Ａが、携帯電話機１Ｂから移動情報及び経路情報を取得する際、携帯
電話機１Ｃから取得して携帯電話機１Ｂが保持している移動情報及び経路情報については
、一定の条件を充足するものに限って取得することとしても良い。
例えば、携帯電話機１Ｂが携帯電話機１Ｃから取得して保持している移動情報及び経路
情報のうち、携帯電話機１Ａが目的地まで移動するために要する予測時間と同程度あるい
はその数倍程度の時間内に算出された移動情報及び経路情報についてのみ、携帯電話機１
Ａが携帯電話機１Ｂから取得することが可能である。
【００５６】
又、携帯電話機１Ａが携帯電話機１Ｃから移動情報及び経路情報を既に取得しているこ
ともあり得るため、移動情報及び経路情報を算出した携帯電話機のＩＤ番号及び生成時刻
情報を基に、同一の移動情報及び経路情報を重複受信するものでないか判定し、重複して
いない移動情報及び経路情報についてのみ、携帯電話機１Ａは、携帯電話機１Ｂが保持し
ている携帯電話機１Ｃの移動情報及び経路情報を取得することとしても良い。
このように、取得する移動情報及び経路情報に一定の条件を設定し、その条件を充足す
るもののみを取得することで、携帯電話機１Ａにおいて、効率的に移動情報及び経路情報
を取得し、保持しておくことが可能となる。
【図面の簡単な説明】
【００５７】
【図１】位置情報端末の一例であるＧＰＳ機能付き携帯電話機１Ａの機能構成を示した概略ブロック図である。
【図２】図１に示す携帯電話機１Ａに備えられる制御部７の動作処理を示すフローチャートである。
【図３】本実施形態に係る携帯電話機１Ａ、１Ｂ間の通信状態を説明するための説明図である。
【図４】本実施形態に係る携帯電話機１Ａ、１Ｂ間の動作処理を示すシーケンス図である。
【符号の説明】
【００５８】
１Ａ、１Ｂ、１Ｃ  携帯電話機、２  携帯通信ユニット、３  ＧＰＳ機能部、４  近距離
通信部、５  周辺端末検出部、６  経路情報交換部、７  制御部、８  経路情報記録部、
９  衛星信号受信部、１０  衛星情報記憶部、１１  位置算出部、１２  移動情報記憶部
、１３  表示部
【図１】
2009288224.tif 000003
【図２】
2009288224.tif 000004
【図３】
2009288224.tif 000005
【図４】
2009288224.tif 000006